(57)【要約】　　　（修正有）【課題】ボルト軸の軽量化を図りつつ、重荷重に対して安定した耐久性能が得られる厨房機器用取付脚を安価に提供する。【解決手段】図示しない厨房機器の底面を支持する支持面２１を有する合成樹脂からなる筒状の脚本体２と、少なくとも上端が支持面２１から突出するように脚本体２の中央に貫設されたボルト軸３０と、ボルト軸３０の下端側に螺合された高さ調節手段としての合成樹脂からなるアジャストナット４と含む厨房機器用取付脚１０であって、ボルト軸３０に合成樹脂の成型品を用いる。【選択図】　図２
2004068903.tif 000002
【特許請求の範囲】
【請求項１】
厨房機器の底面を支持する支持面を有する合成樹脂からなる筒状の脚本体と、少なくとも上端が上記支持面から突出するように上記脚本体の中央に貫設されたボルト軸と、上記ボルト軸の下端側に螺合された高さ調節手段としての合成樹脂からなるアジャストナットとを含み、上記ボルト軸の上端を上記厨房機器の底面にねじ込むことにより、上記厨房機器に取り付けられる厨房機器用取付脚において、
上記ボルト軸が、合成樹脂の成型品からなることを特徴とする厨房機器用取付脚。
【請求項２】
上記ボルト軸には、上記脚本体に食い込まれる空転防止部を有するフランジ部が一体に形成されている請求項１に記載の厨房機器用取付脚。
【請求項３】
上記ボルト軸と上記アジャストナットとが同一の合成樹脂からなる請求項１または２に記載の厨房機器用取付脚。
【発明の詳細な説明】
【０００１】
【発明の属する技術分野】
本発明は、厨房機器などの設定高さを調節するために取り付けられる厨房機器用取付脚に関し、さらに詳しく言えば、耐荷重強度の信頼性の向上と低コスト化を可能とする厨房機器用取付脚の技術に関する。
【従来の技術】
【０００２】
業務用大型冷蔵庫などの厨房機器には、設置場所などに応じて設置高さを自由に変えられる高さ調節手段を備えた専用の取付脚が取り付けられている。その一例を図４に示す。
【０００３】
この厨房機器用取付脚１は、厨房機器の底面を支持する支持面２１を有する合成樹脂からなる筒状の脚本体２と、少なくとも上端が支持面２１から突出するように脚本体２の中央に貫設されたボルト軸３と、ボルト軸３の下端側に螺合された高さ調節手段としての合成樹脂からなるアジャストナット４とを備えている。
【０００４】
この厨房機器用取付脚１は、ボルト軸３の上端を厨房機器の底面にねじ込むことにより取り付けられ、厨房機器の底面が支持面２１によって支持される。取付後は、アジャストナット４を回転させることにより、アジャストナット４が進退し、厨房機器の高さが調節できるようになっている。
【０００５】
この種の厨房機器用取付脚１は、鉄など金属材料を鍛造加工したものに機械加工によってネジ山を形成した後、防錆などのメッキ処理を施して作られたボルト軸３を金型キャビティ内にセットし、金型内に溶融樹脂を流し込んでボルト軸３の周囲に脚本体２を一体成型する、いわゆるインサート成型によって作られている。
【０００６】
【発明が解決しようとする課題】
しかしながら、この種の厨房機器用取付脚には、次のような問題があった。すなわち、金属製のボルト軸３は、全長が約１００ｍｍ程度あり、重量が約２００ｇ程度のため、例えば各工程での運搬時などにボルト軸３同士が接触した場合、ネジ山に打痕ができ、ネジ山が変形することがあった。
【０００７】
一方、一般にアジャストナット４には、防錆、防食を目的としてナイロンなどの合成樹脂の成型品が用いられているため、ネジ山が変形された状態のまま、ボルト軸３がアジャストナット４にねじ込まれた場合、金属に比べて柔らかいアジャストナット４側の雌ねじを削ってしまい、雌ねじのネジ山断面積を小さくしてしまうことがあった。
【０００８】
厨房機器用取付脚１は業務用大型冷蔵庫などの重量物に取り付けられるため、ボルト軸３とアジャストナット４とのネジ面に極めて大きな負荷が加わる。そのため、ネジ面に傷が付いたり、ネジ山断面積が小さくなると、極端な場合は耐荷重強度に問題を起こすおそれがあり、アジャストナット４の破損などに至る危険性もあった。
【０００９】
また、金属製のボルト軸３の線膨張係数（例えば鉄の場合は１１．７６×１０−６ｃｍ／ｃｍ／℃）と、アジャストナット４の線膨張係数（例えばナイロンの場合は９．６×１０−５ｃｍ／ｃｍ／℃）とは寸法変化率にして約８倍異なるため、温度変化による製品精度にも少なからず影響を与えかねない。
【００１０】
したがって、本発明の課題は、ボルト軸の軽量化を図りつつ、重荷重に対して安定した耐久性能が得られる厨房機器用取付脚を安価に提供することにある。
【００１１】
【課題を解決するための手段】
上述した課題を解決するため、本発明は、厨房機器の底面を支持する支持面を有する合成樹脂からなる筒状の脚本体と、少なくとも上端が上記支持面から突出するように上記脚本体の中央に貫設されたボルト軸と、上記ボルト軸の下端側に螺合された高さ調節手段としての合成樹脂からなるアジャストナットとを含み、上記ボルト軸の上端を上記厨房機器の底面にねじ込むことにより、上記厨房機器に取り付けられる厨房機器用取付脚において、上記ボルト軸が、合成樹脂の成型品からなることを特徴としている。
【００１２】
これによれば、ボルト軸を合成樹脂で成型したことにより、全体の軽量化が図られ、ネジ山同士が衝突してもネジ山に打痕などができない。また、万が一傷が生じたとしても、ボルト軸とアジャストナットはともに合成樹脂製のため、嵌め合い部分に硬度差はほとんどなく、強引にねじ込んだとしてもネジ山が削られて、ネジ山断面積が小さくなることもない。
【００１３】
本発明の好ましい態様として、上記ボルト軸には、上記脚本体に食い込まれる空転防止部を有するフランジ部が一体に形成されるが、ボルト軸を合成樹脂製とすることに伴い、金属製のボルト軸よりもフランジ部をより大径に形成できるので、脚本体とボルト軸との空転防止効果も大きい。また、金属製のボルト軸に比べて低コスト化が図れる。
【００１４】
ネジ山の嵌め合い部分をより高精度に保つため、上記ボルト軸と上記アジャストナットとが同一の合成樹脂からなることが好ましい。同一の合成樹脂としては、耐荷重強度が高く、強度の点からナイロンが最も好適であるが、耐荷重性能の低いものは、ナイロンに限らず他の材質でもよい。
【００１５】
【発明の実施の形態】
次に、本発明の実施形態について図面を参照しながら説明する。図１および図２には、本発明の一実施形態に係る厨房機器用取付脚の正面図および断面図が示されている。なお、上述した図４の従来例と同一もしくは同一と見なされる箇所には、同じ参照符号を付した。
【００１６】
この厨房機器用取付脚１０は、図示しない厨房機器の底面を支持する支持面２１を有する合成樹脂からなる筒状の脚本体２と、少なくとも上端が支持面２１から突出するように脚本体２の中央に貫設されたボルト軸３０と、ボルト軸３０の下端側に螺合された高さ調節手段としての合成樹脂からなるアジャストナット４とを備えている。
【００１７】
脚本体２は、例えばナイロンなどの合成樹脂成型品からなり、脚本体２の上端側には、厨房機器の被取付面に沿って平行に形成された支持面２１を有する支持部２２がフランジ状に形成されている。支持部２２の外周面には、厨房機器に取り付ける際に、スパナなどを差し込んで回転させるためのナット面２３が、この実施形態では６角形状に形成されている。
【００１８】
脚本体２の中央には、脚本体２を貫通するようにボルト軸３０が一体的に取り付けられているが、本発明において、ボルト軸３０は、例えばナイロンなどの合成樹脂成型品からなり、図３（ａ）に示すように、金型成型による上部ネジ山３１と下部ネジ山３２とを備えている。なお、上部ネジ山３１と下部ネジ山３２とはともに同一方向にねじ切りされている。また、ネジ径やピッチなどは仕様に応じて適宜選択できる。
【００１９】
上部ネジ山３１と下部ネジ３２との間には、脚本体２に対して一体的に固着されるフランジ部３３が一体に形成されている。図３（ｂ）に示すように、フランジ部３３はボルト軸３０の軸線を中心として同軸的に形成されており、このフランジ部３３には所定間隔をもって空転防止部３４が設けられている。
【００２０】
空転防止部３４は、フランジ部３３の外周面からボルト軸３０の軸線方向に向けて半円状に凹まされた切欠部からなり、この実施形態では９０°間隔で４カ所設けられている。このボルト軸３０も図示しない脚本体成型金型内にインサートされ、樹脂成形により脚本体２と一体化されるが、その際、空転防止部３４に溶融樹脂が入り込んで固着されることにより、ボルト軸３０の空転が拘束される。
【００２１】
この実施形態において、空転防止部３４はフランジ部３３に形成された４カ所の切欠部からなるが、これ以外に、フランジ部３３を軸方向に貫通する貫通孔であってもよく、溶融樹脂が入り込んで空転を防止する効果が得られるものであれば、その形状および数は特に限定されない。
【００２２】
アジャストナット４は、上記ボルト軸３０と同じく例えばナイロンなどの合成樹脂の成型品からなり、ボルト軸３０の下部ネジ山３２に対して螺合可能な雌ねじ部４２を有するナット本体４１と、同ナット本体４１の下側の外周面を覆う外皮板４３とを備えている。
【００２３】
外皮板４３は、例えばステンレス鋼などの金属板をナット本体４１の下端側に装着可能な断面Ｕ字状のカップ状にプレス成形したものからなり、外面側にはアジャストナット４を回転させる際にスパナなどが差し込まれるナット面４４が、この実施形態では６角形状に形成されている。
【００２４】
この実施形態において、外皮板４２は一部をかしめ変形させてナット本体４１に保持されているが、これ以外に、外皮板４２を図示しないアジャストナット成型金型内にインサートして、ナット本体４１と外皮板４２とを一体化することもできる。
【００２５】
本発明によれば、ボルト軸３０が合成樹脂によって軽量化されているため、運搬時などにボルト軸３０同士がぶつかり合ったとしても、互いのネジ山を傷付けるおそれはない。また、ボルト軸３０とアジャストナット４とが同じ樹脂、この実施形態ではナイロンで構成されていることにより、材料に硬度差が生じず、例え下部ネジ山３２が変形した状態のまま、強引にアジャストナット４をねじ込んでも、アジャストネット４側の雌ねじ部４２を変形させることはない。
【００２６】
また、ボルト軸３０および脚本体２が同じ合成樹脂系の素材によって構成されているため、寸法変化率がほぼ同じであり、製品精度も変化しない。また、コスト面でも、鉄材を鍛造し機械加工してネジ山を形成する金属製ボルト軸を使用する場合よりも、安価に製造できる。
【００２７】
【発明の効果】
以上説明したように、本発明によれば、厨房機器の底面を支持する支持面を有する合成樹脂からなる筒状の脚本体と、少なくとも上端が支持面から突出するように脚本体の中央に貫設されたボルト軸と、ボルト軸の下端側に螺合された高さ調節手段としての合成樹脂からなるアジャストナットと含む厨房機器用取付脚において、ボルト軸が合成樹脂の成型品からなることにより、軽量化が図られ、各部品同士に硬度差や寸法変化率が少なくなり、耐荷重強度など安定した耐久性能が得られる。
【図面の簡単な説明】
【図１】本発明の一実施形態に係る厨房機器用取付脚の正面図。
【図２】上記実施形態の厨房機器用取付脚の断面図。
【図３】上記実施形態のボルト軸の正面図および平面図。
【図４】従来の厨房機器用取付脚の断面図。
【符号の説明】
１０　厨房機器用取付脚
２　脚本体
２１　支持面
２２　支持部
３０　ボルト軸
３１　上部ネジ山
３２　下部ネジ山
３３　フランジ部
３４　空転防止部
４　アジャストナット
４１　ナット本体
４２　雌ねじ部
４３　外皮板
【図１】
2004068903.tif 000003
【図２】
2004068903.tif 000004
【図３】
2004068903.tif 000005
【図４】
2004068903.tif 000006